【事件の表示】
　特許第３００７２７２号「弾球遊技機」の請求項１ないし２に係る特許に対する特許異議の申立てについて、次のとおり決定する。
【結　論】
　特許第３００７２７２号の請求項１ないし２に係る特許を維持する。
【理　由】
 １.本件発明
　特許第３００７２７２号（平成６年７月３０日出願、平成１１年１１月２６日設定登録）の請求項１ないし２に係る発明は、その特許請求の範囲の請求項１ないし２に記載された次のとおりのものである。
「【請求項１】複数種類の識別情報を可変表示すると共に該識別情報を複数個分停止表示する可変表示部を複数列有し、その複数列の可変表示部の停止表示結果において複数の組合せライン上のいずれかに特定の識別情報が揃ったとき、特定の遊技価値を付与し得る可変表示装置を備えた弾球遊技機において、前記複数列の可変表示部全ての可変表示中に、特定の識別情報を揃えて低速変動し、その後全ての可変表示部を同時に停止制御する第１の変動制御手段と、前記複数列の可変表示部を順次停止制御する第２の変動制御手段と、該第２の変動制御手段による変動制御において全ての可変表示部が停止する前の段階で、特定の識別情報が揃う可能性が複数通りある表示状態となるように識別情報を配列する配列手段と、を備えたことを特徴とする弾球遊技機。
【請求項２】前記第１の変動制御手段は、特定の識別情報を複数通り揃えた状態で変動制御することを特徴とする請求項１記載の弾球遊技機。」
　
２.申立ての理由の概要
　本件出願の請求項１ないし２に係る発明は、下記の刊行物１に記載された発明であるから、特許法第２９条第１項第３号に該当し、または、下記の刊行物１，２に記載された発明に基づいて、当業者が容易に発明をすることができたものであるから、特許法第２９条第２項に規定する発明に該当し、本件発明の特許を取り消すべきものである。
　　　　　　　　　　　　　　　　　　記
 刊行物１： 特開平５−１４６５４５号公報（甲第１号証）
 刊行物２： 特開平６−１８２０３７号公報（甲第２号証）
３.甲号証の記載内容
　甲第１号証（ 特開平５−１４６５４５号公報）には、次のことが記載されている。
「本発明は、パチンコ遊技機．．．に関する。詳しくは、複数種類の識別情報を可変表示可能な可変表示部を複数有し、可変表示部によって組合せ有効列が規定され、複数の可変表示部の停止時における表示結果により、組合せ有効列上に特定の識別情報の組合せが成立した場合に、所定の遊技価値が付与可能な状態となる遊技機に関する。」【０００１】欄
「所定時間の経過に基づいてまず中図柄表示部３ｂが停止し、その停止した中図柄が特定の識別情報以外のときにはその後左図柄表示部３ａが停止し、最後に右図柄表示部３ｃが停止し、停止時の表示結果が予め定められた特定の識別情報になれば、可変入賞球装置４の開閉板を開成させて遊技者にとって有利な第１の状態とし所定の遊技価値が付与可能な状態にする。左、中図柄表示部３ａ，３ｂが停止した時点で特定の識別情報の組合せとなる条件を満たしていれば、通常リーチ状態と呼ぶ。各図柄表示部３ａ〜３ｃには、縦方向に３つの図柄が表示可能である。したがって可変表示装置３によって表示される図柄は３×３のマトリックス状の配列となる。このマトリックスにより、水平方向の３本のラインと、２本の対角線との合計５本の表示ラインが形成される。本実施例においては、この５つのラインのいずれも組合せ有効列とされており、このライン上に特定の識別情報の組合せが形成されれば、前記第１の状態となるように遊技機が制御される。」【０００８】欄
「一方、中図柄表示部３ｂが停止した時点で、停止した中図柄が特定の識別情報（たとえば７）のとき（これを特別リーチ状態と呼ぶ）には、以下のような可変表示が行なわれる。左右の図柄表示部３ａ、３ｃは可変表示を続けるが、この場合各図柄表示部３ａ、３ｃ上に描かれた「７」の図柄を水平または右下がりまたは右上がりに揃えた状態でゆっくり回転させた後、左右同時またはまず左、続いて右の順序で停止させる。したがって図柄表示部３ａ、３ｃの可変表示中には、中央の水平方向表示ライン、または右下がりの対角表示線または右上がりの対角表示線上に揃うことが可能な状態が形成される。したがって可変表示の比較的早い段階から特定の識別情報の組合せの成立に対する期待感が高まることとなり、遊技者の遊技の興趣を従来よりも一層盛り上げることが可能となる。」【０００９】欄
「．．．上述の実施例では図柄表示部の停止順序が中、左、右あるいは中、左右同時の順序で行なわれたが、本発明はこれには限定されない。また、特別なリ一チ状態となった場合には、常に残りの表示部を同時に停止させるように構成してもよく、また特別なリ一チ状態を可能とするような図柄を複数個設けてもよい。たとえば、特定の図柄に限らず、中図柄表示部３ｂの中央に大当り図柄が停止したすべての場合に、上述のような可変表示の制御を行なってもよい。．．．」【００１１】欄
「．．．最初の回転ドラムを停止させる前に、すべての回転ドラムが、大当り図柄が揃った状態となるように回転させてもよい。」【００１８】欄
「図３は、前記各回転ドラムの外周に貼着された各ドラムシール３２ａ，３２ｂ，３２ｃに描かれた図形を展開した状態を示す展開図である。」【００１９】欄
「図４は、本実施例のパチンコ遊技機において、中図柄表示部が停止した時点の、可変表示装置３の表示状態を３種類示す。図４（Ａ）においては、中図柄表示部の中央に特定の大当り図柄３８ｂが停止している。左図柄表示部および右図柄表示部は、この図の場合にはそれぞれ図柄「７」が右上がりに揃えられた状態でゆっくりと回転する。すなわち、図４（Ａ）においては、右図柄表示部の図柄３９ｃの２コマ上には特定の大当り図柄「７」（３８ｃ）があり、左図柄表示部と右図柄表示部とはそれぞれの図柄の関係がこのように「７」が右上がりに揃えられた状態に保たれて回転される。したがって左図柄表示部の図柄「７」が中図柄表示部に停止した図柄「７」の左下にきた場合には、右図柄表示部の最上部には同じ図柄「７」が表示されることになる。」【００２２】欄
「図４（Ｂ）は、「７」が水平に揃えられるような状態で左図柄表示部および右図柄表示部が可変表示されている状態を示す。この図においては、左図柄表示部の図柄３８ａと右図柄表示部の図柄３８ｃとが水平に揃えられた状態で可変表示される。したがって左図柄表示部の図柄３８ａが中央ラインにきた時点で「７」が中央の水平方向ラインに揃って表示されることになる。」【００２３】欄
「図４（Ｃ）においては、「７」が右下がりに揃えられた状態が示されている。この図の場合にも、左図柄表示部と右図柄表示部とは、図柄が互いに図４（Ｃ）に示されるように「７」が右下がりに揃えられた状態で可変表示される。図４（Ａ）〜（Ｃ）のいずれの場合にも、左右の図柄表示部はいずれもゆっくりと可変表示される。したがって有効ライン上に特定の大当り図柄が揃えられることに対する遊技者の期待感はより一層高まることになる。」【００２４】欄
「なお、各図柄表示部の可変表示および停止制御は、後述するマイクロコンピュータなどからなる基本回路によって実行されるプログラムにより行なわれる。．．．」【００２５】欄
　甲第２号証（特開平６−１８２０３７号公報）には、次のことが記載されている。
「．．．可変表示装置４は、その外周に複数の図柄が描かれた回転ドラム５ａ〜５ｃを有し、該回転ドラム５ａ〜５ｃの回転の停止時の図柄の組合せが予め定めた当り図柄のとき、後述する電動入賞装置２４を一定時間（例えば、５．８秒）開放する。．．．」【０００６】欄
「ところで、回転ドラム５ａ〜５ｃの外周に描かれる図柄は、図２に示すようになっている。．．．同一の文字図柄が図１０に示すように、当りライン１〜３のいずれかに並べば、当りとなる」【０００７】欄
「．．．回転ドラム５ａ〜５ｃの変動が同時に開始される。しかして、左の回転ドラム５ａ（以下、図柄５ａという）の変動表示においては、基本時間（５．１００秒）の間、所定の変動速度で停止図柄を考慮しながら変動され、基本時間が経過すると、１図柄分を変動して停止図柄がセットされてその変動表示が停止される。また、右の回転ドラム５ｃ（以下、図柄５ｃという）の変動表示においても、基本時間（５．１００秒）の間、所定の変動速度で停止図柄を考慮しながら変動され、基本時間が経過すると、６図柄分を変動して停止図柄がセットされてその変動表示が停止される。」【００２６】欄
「一方、中央の回転ドラム５ｂの変動表示においては、それ以前に停止する回転ドラム５ａ，５ｃに表示される停止図柄が当り図柄でないとき（リーチ状態でないとき）と、当り図柄であるとき（リーチ状態のとき）とでは、異なる態様で変動表示される。そこで、まずリーチ状態でないときの変動表示について説明すると、基本時間（５．１００秒）の間、所定の変動速度で停止図柄を考慮しながら変動され、基本時間が経過すると、１１図柄分を変動して停止図柄がセットされてその変動表示が停止される。」【００２７】欄
「次に、リーチ状態のときの変動表示について説明すると、基本時間（５．１００秒）の間、所定の変動速度で停止図柄を考慮しながら変動され、基本時間が経過すると、ゆっくりとした変動速度で５２〜６９図柄分を変動して停止図柄がセットされてその変動表示が停止される。」【００２８】欄
　
４.対比・判断
　本件請求項１に係る発明と甲第１号証記載の発明とを対比する。
甲第１号証には、「複数種類の識別情報を可変表示可能な可変表示部を複数有し、可変表示部によって組合せ有効列が規定され、複数の可変表示部の停止時における表示結果により、組合せ有効列上に特定の識別情報の組合せが成立した場合に、所定の遊技価値が付与可能な状態となる遊技機」【０００１】欄と記載されていることおよび図４から、甲第１号証の発明は、本件請求項１に係る発明と同様に、複数種類の識別情報を可変表示すると共に該識別情報を複数個分停止表示する可変表示部を複数列有し、その複数列の可変表示部の停止表示結果において複数の組合せライン上のいずれかに特定の識別情報が揃ったとき、特定の遊技価値を付与し得る可変表示装置を備えた弾球遊技機であり、
甲第１号証の「所定時間の経過に基づいてまず中図柄表示部３ｂが停止し、その停止した中図柄が特定の識別情報以外のときにはその後左図柄表示部３ａが停止し、最後に右図柄表示部３ｃが停止し」【０００８】欄、「中図柄表示部３ｂが停止した時点で、停止した中図柄が特定の識別情報（たとえば７）のとき（これを特別リーチ状態と呼ぶ）には、以下のような可変表示が行なわれる。左右の図柄表示部３ａ、３ｃは可変表示を続けるが、この場合各図柄表示部３ａ、３ｃ上に描かれた「７」の図柄を水平または右下がりまたは右上がりに揃えた状態でゆっくり回転させた後、左右同時またはまず左、続いて右の順序で停止させる。」【０００９】欄等の記載から、甲第１号証の発明は、本件請求項１に係る発明の「複数列の可変表示部を順次停止制御する第２の変動制御手段」を有し、
　また、甲第１号証には、「中図柄表示部３ｂが停止した時点で、停止した中図柄が特定の識別情報（たとえば７）のとき（これを特別リーチ状態と呼ぶ）には、以下のような可変表示が行なわれる。左右の図柄表示部３ａ、３ｃは可変表示を続けるが、この場合各図柄表示部３ａ、３ｃ上に描かれた「７」の図柄を水平または右下がりまたは右上がりに揃えた状態でゆっくり回転させた後、左右同時またはまず左、続いて右の順序で停止させる。したがって図柄表示部３ａ、３ｃの可変表示中には、中央の水平方向表示ライン、または右下がりの対角表示線または右上がりの対角表示線上に揃うことが可能な状態が形成される。」【０００９】欄と記載されていることおよび図４（Ｂ）（上記【００２２】〜【００２４】欄の記載参照）から、甲第１号証の発明は、本件請求項１に係る発明と同様に、第２の変動制御手段による変動制御において全ての可変表示部が停止する前の段階で、特定の識別情報が揃う可能性が複数通りある表示状態となるように識別情報を配列する配列手段を有しているから、
　両者は、「複数種類の識別情報を可変表示すると共に該識別情報を複数個分停止表示する可変表示部を複数列有し、その複数列の可変表示部の停止表示結果において複数の組合せライン上のいずれかに特定の識別情報が揃ったとき、特定の遊技価値を付与し得る可変表示装置を備えた弾球遊技機において、前記複数列の可変表示部を順次停止制御する第２の変動制御手段と、該第２の変動制御手段による変動制御において全ての可変表示部が停止する前の段階で、特定の識別情報が揃う可能性が複数通りある表示状態となるように識別情報を配列する配列手段と、を備えた弾球遊技機。」である点で一致し、本件請求項１に係る発明が、(a)「複数列の可変表示部全ての可変表示中に、特定の識別情報を揃えて低速変動し、その後全ての可変表示部を同時に停止制御する第１の変動制御手段」を有するのに対して、甲第１号証記載の発明はこの構成を有しない点で相違する。
　なお、異議申立人は、上記（ａ）の点は、甲第１号証の【０００９】欄の「中図柄表示部３ｂが停止した時点で、停止した中図柄が特定の識別情報（たとえば７）のとき（これを特別リーチ状態と呼ぶ）には、以下のような可変表示が行なわれる。左右の図柄表示部３ａ、３ｃは可変表示を続けるが、この場合各図柄表示部３ａ、３ｃ上に描かれた「７」の図柄を水平または右下がりまたは右上がりに揃えた状態でゆっくり回転させた後、左右同時またはまず左、続いて右の順序で停止させる。したがって図柄表示部３ａ、３ｃの可変表示中には、中央の水平方向表示ライン、または右下がりの対角表示線または右上がりの対角表示線上に揃うことが可能な状態が形成される。したがって可変表示の比較的早い段階から特定の識別情報の組合せの成立に対する期待感が高まることとなり、遊技者の遊技の興趣を従来よりも一層盛り上げることが可能となる。」、【００１１】欄の「表示部の停止順序が中、左、右あるいは中、左右同時の順序で行なわれたが、本発明はこれには限定されない。また、特別なリ一チ状態となった場合には、常に残りの表示部を同時に停止させるように構成してもよく、また特別なリ一チ状態を可能とするような図柄を複数個設けてもよい。たとえば、特定の図柄に限らず、中図柄表示部３ｂの中央に大当り図柄が停止したすべての場合に、上述のような可変表示の制御を行なってもよい。」、【００１８】欄の「最初の回転ドラムを停止させる前に、すべての回転ドラムが、大当り図柄が揃った状態となるように回転させてもよい。」等の記載から読み取ることができると主張するが、前記記載によると３個の可変表示部中、同時に停止されることがあるのは２個の可変表示部までであり、３個の可変表示部を同時に停止することは示唆さえされていない。該記載より読み取れるのは、複数列の可変表示部全ての可変表示中に、特定の識別情報を揃えて低速変動することまでで、第２の変動制御手段の他に全ての可変表示部を同時に停止制御する第１の変動制御手段を備える点は記載されていない。
　上記相違点（ａ）について検討する。
　上記相違点（ａ）を検討するために、甲第２号証をみるに、本件請求項１に係る発明と同様に「複数種類の識別情報を可変表示すると共に該識別情報を複数個分停止表示する可変表示部を複数列有し、その複数列の可変表示部の停止表示結果において複数の組合せライン上のいずれかに特定の識別情報が揃ったとき、特定の遊技価値を付与し得る可変表示装置を備えた弾球遊技機において、複数列の可変表示部を順次停止制御する第２の変動制御手段と、該第２の変動制御手段による変動制御において全ての可変表示部が停止する前の段階で、特定の識別情報が揃う可能性が複数通りある表示状態となるように識別情報を配列する配列手段を備えた弾球遊技機」については記載されているものの、上記相違点(a) 「複数列の可変表示部全ての可変表示中に、特定の識別情報を揃えて低速変動し、その後全ての可変表示部を同時に停止制御する第１の変動制御手段」については全く記載されていない。そして第２の変動制御手段と、全ての可変表示部を同時に停止制御する第１の変動制御手段を備えた点により本件請求項１に係る発明は、明細書記載の「複数の組合せライン上のいずれかに特定の識別情報を揃えるまでの変動動作を第１及び第２の各変動制御手段により多様化することができ、ひいては遊技に対する興趣を向上することができる。」という効果を奏するものと認められる。
　
　したがって、本件請求項１に係る発明は、甲第１号証に記載された発明と同一ではなく、また、甲第１号証に記載された発明に甲第２号証に記載の技術を組み合わせても本件請求項１に係る発明の構成にはなりえないから、本件請求項１に係る発明は、その出願前に頒布された甲第１、２号証記載の発明に基づいて当業者が容易に発明をすることができたものでもない。
　つぎに、本件請求項２に係る発明は、請求項１に係る発明を更に限定したものであるから、上記請求項１に係る発明についての判断と同じの理由により、甲第１号証に記載された発明ではないし、また、甲第１、２号証の刊行物に記載された発明に基づいて、当業者が容易に発明をすることができたものでもない。
５.むすび
　以上のとおりであるから、特許異議の申立ての理由によっては本件請求項１ないし２に係る発明についての特許を取り消すことはできない。
　また、他に本件請求項１ないし２に係る発明についての特許を取り消すべき理由を発見しない。
　したがって、本件請求項１ないし２に係る発明についての特許は拒絶の査定をしなければならない特許出願に対してされたものと認めない。
　よって、特許法等の一部を改正する法律（平成６年法律第１１６号）附則第１４条の規定に基づく、特許法等の一部を改正する法律の施行に伴う経過措置を定める政令（平成７年政令第２０５号）第４条第２項の規定により、上記のとおり決定する。
【異議決定日】
平成１３年４月１９日（２００１．４．１９）